(57)【要約】【課題】ノードを接続するインタフェース間に光スイッチを挿入し、インタフェースのトラヒック量に応じてインタフェースの接続の設定を変更して効率よくインタフェースを活用するとともに使用するインタフェースを共用することができる光スイッチ適用ノードおよび光ネットワークシステムを得ること。【解決手段】トラヒック監視部１２が、各インタフェースのトラヒックを監視し、低速インタフェースＩＦ１１〜ＩＦ１ｎのトラヒック量が低速インタフェースの上限値ｘ１を超えた場合、または、高速インタフェースＩＦ１０１〜ＩＦ１０ｍのトラヒック量が高速インタフェースの下限値ｘ２以下になった場合には、インタフェース切替処理部１１にインタフェースの切替え要求を通知し、インタフェース切替処理部１１は、切替え通知にしたがって電気スイッチ１３と光スイッチ１４の接続を切替える。【選択図】　　　図２
2004140451.tif 000002
【特許請求の範囲】
【請求項１】
ｍ（ｍ＞１，ｍは整数）本の第１の伝送速度の光インタフェースと前記第１の伝送速度の光インタフェースよりも低速の伝送速度の光インタフェースであるｎ（ｎ＞１，ｎは整数）の第２の伝送速度の光インタフェースを有する電気スイッチと、（ｍ＋ｎ）×（ｍ＋ｎ）個のポートを有する光スイッチとを光ファイバで接続した光スイッチ適用ノードにおいて、
前記電気スイッチにおける前記第１の伝送速度の光インタフェースおよび前記第２の伝送速度の光インタフェースのトラヒックを監視するトラヒック監視部と、
前記トラヒックの監視結果に基づいて前記電気スイッチと前記光スイッチとの接続を切替えるように前記光スイッチの設定を変更するインタフェース切替処理部と、
を備えることを特徴とする光スイッチ適用ノード。
【請求項２】
前記トラヒック監視部は、
前記ｎ本の第２の伝送速度の光インタフェースごとにトラヒックの上限値が予め設定されており、前記第２の伝送速度の光インタフェースのトラヒック監視結果と前記トラヒックの上限値とを比較して前記トラヒックの監視結果が前記トラヒックの上限値を超えた場合、前記インタフェース切替処理部に前記電気スイッチと前記光スイッチとの接続を前記第２の伝送速度の光インタフェースから前記第１の伝送速度の光インタフェースに切替える要求を通知し、
前記インタフェース切替処理部は、
前記電気スイッチと前記光スイッチとの接続を前記第２の伝送速度の光インタフェースから前記第１の伝送速度の光インタフェースに切替える要求に基づいて前記光スイッチの設定を前記第２の伝送速度の光インタフェースから前記第１の伝送速度の光インタフェースに切替えるように前記光スイッチの設定を変更することを特徴とする請求項１に記載の光スイッチ適用ノード。
【請求項３】
前記トラヒック監視部は、
前記ｍ本の第１の伝送速度の光インタフェースごとにトラヒックの下限値が予め設定されており、前記第１の伝送速度の光インタフェースのトラヒックの監視結果と前記トラヒックの下限値とを比較して前記トラヒックの監視結果が前記トラヒックの下限値より低下した場合、前記インタフェース切替処理部に前記電気スイッチと前記光スイッチとの接続を前記第１の伝送速度の光インタフェースから前記第２の伝送速度の光インタフェースに切替える要求を通知し、
前記インタフェース切替処理部は、
前記電気スイッチと前記光スイッチとの接続を前記第１の伝送速度の光インタフェースから前記第２の伝送速度の光インタフェースに切替える要求に基づいて前記光スイッチの設定を前記第１の伝送速度の光インタフェースから前記第２の伝送速度の光インタフェースに切替えるように前記光スイッチの設定を変更することを特徴とする請求項１または２に記載の光スイッチ適用ノード。
【請求項４】
前記トラヒック監視部は、
前記ｍ本の第１の伝送速度の光インタフェースごとにトラヒックの下限値と前記ｎ本の第２の伝送速度の光インタフェースごとにトラヒックの上限値が予め設定されており、前記第２の伝送速度の光インタフェースのトラヒック監視結果と前記トラヒックの上限値とを比較して前記監視結果が前記トラヒックの上限値を超えた場合、前記第１の伝送速度の光インタフェースのトラヒック監視結果が前記トラヒックの下限値より低下している前記第１の伝送速度の光インタフェースを検出し、前記インタフェース切替処理部に前記トラヒックの上限値を超えた第２の伝送速度の光インタフェースから前記第１の伝送速度の光インタフェースに切替える要求および前記検出した第１の伝送速度の光インタフェースから前記第２の伝送速度の光インタフェースに切替える要求を通知し、
前記インタフェース切替処理部は、
前記トラヒックの監視結果が上限値を超えた第２の伝送速度の光インタフェースの接続と前記検出した第１の伝送速度の光インタフェースの接続とを入れ替えるように前記光スイッチの設定を変更することを特徴とする請求項１に記載の光スイッチ適用ノード。
【請求項５】
ｋ（ｋ＞１，ｋは整数）本の同一伝送速度の光インタフェースを有する電気スイッチと、ｋ×ｋ個のポートを有する光スイッチとを光ファイバで接続した光スイッチ適用ノードにおいて、
前記電気スイッチにおける前記光インタフェースのトラヒックを監視するトラヒック監視部と、
前記トラヒックの監視結果に基づいて前記電気スイッチと前記光スイッチとの接続を増設および／または削減するインタフェース切替処理部と、
を備えることを特徴とする光スイッチ適用ノード。
【請求項６】
前記トラヒック監視部は、
前記ｋ本の光インタフェースごとにトラヒックの上限値が予め設定されており、前記光インタフェースのトラヒックの監視結果と前記トラヒックの上限値とを比較して前記トラヒックの監視結果が前記トラヒックの上限値を超えた場合、前記インタフェース切替処理部に前記電気スイッチと前記光スイッチとの接続を増設する要求を通知し、
前記インタフェース切替処理部は、
前記電気スイッチと前記光スイッチとの接続を増設する要求に基づいて前記光スイッチの設定を変更することを特徴とする請求項５に記載の光スイッチ適用ノード。
【請求項７】
前記トラヒック監視部は、
前記ｋ本の光インタフェースごとにトラヒックの下限値が予め設定されており、前記光インタフェースのトラヒックの監視結果と前記トラヒックの下限値とを比較して前記トラヒックの監視結果が前記トラヒックの下限値より低下した場合、かつ、前記光スイッチによりネットワーク上の同一の接続先に２本以上の光インタフェースが接続されている場合、前記インタフェース切替処理部に前記電気スイッチと前記光スイッチとの接続を削減する要求を通知し、
前記インタフェース切替処理部は、
前記電気スイッチと前記光スイッチとの接続を削減する要求に基づいて前記光スイッチの設定を変更することを特徴とする請求項５または６に記載の光スイッチ適用ノード。
【請求項８】
前記トラヒック監視部は、
前記ｋ本の光インタフェースごとにトラヒックの上限値と下限値とが予め設定されており、前記光インタフェースのトラヒック監視結果と前記トラヒックの上限値とを比較して前記監視結果が前記トラヒックの上限値を超えた場合、前記上限値と比較を行った光インタフェース以外の光インタフェースのトラヒックの監視結果が前記トラヒックの下限値より低下し、かつ、前記光スイッチによりネットワーク上の同一の接続先に２本以上の光インタフェースが接続されている光インタフェースを検出し、前記インタフェース切替処理部に前記検出した光インタフェースを削減する要求および前記トラヒックの上限値を超えた光インタフェースを増設する要求を通知し、
前記インタフェース切替処理部は、
前記電気スイッチと前記光スイッチとの接続を削減するように要求された光インタフェースを前記電気スイッチと前記光スイッチとの接続を増加するように要求されたインタフェースに切替えるように前記光スイッチの設定を変更することを特徴とする請求項５に記載の光スイッチ適用ノード。
【請求項９】
複数の光スイッチ適用ノードが接続された光ネットワークと、前記複数の光スイッチ適用ノードが接続されている光ネットワークとは異なる管理用ネットワークで前記複数の光スイッチ適用ノードと管理センタが接続される光ネットワークシステムにおいて、
前記光スイッチ適用ノードは、
ｍ（ｍ＞１，ｍは整数）本の第１の伝送速度の光インタフェースと前記第１の伝送速度の光インタフェースよりも低速の伝送速度の光インタフェースであるｎ（ｎ＞１，ｎは整数）の第２の伝送速度の光インタフェースを有する電気スイッチと、
（ｍ＋ｎ）×（ｍ＋ｎ）個のポートを有し、入力ポートからの光信号を出力ポートに出力する光スイッチと、
前記電気スイッチにおける前記第１の伝送速度の光インタフェースおよび前記第２の伝送速度の光インタフェースのトラヒックを監視してその結果に基づいて前記管理センタにトラヒックの最適配分を要求するトラヒック監視部と、
前記監視センタからの最適配分結果の通知に基づいて前記電気スイッチと前記光スイッチとの接続を切替えるように前記光スイッチの設定を変更するインタフェース切替処理部と、
を備え、
前記管理センタは、
前記光スイッチ適用ノードからトラヒックの最適配分の要求を受けた場合、前記光ネットワークに接続されている全ての光スイッチ適用ノードのトラヒックの状態を取得してトラヒックを最適配分した結果、前記光スイッチ適用ノードの接続に変更する場合に前記光スイッチ適用ノードに最適配分結果を通知するトラヒック最適配分部と、
を備えることを特徴とする光ネットワークシステム。
【請求項１０】
前記トラヒック監視部は、
前記ｎ本の第２の伝送速度の光インタフェースごとにトラヒックの上限値が予め設定されており、前記第２の伝送速度の光インタフェースのトラヒック監視結果と前記トラヒックの上限値とを比較して前記トラヒックの監視結果が前記トラヒックの上限値を超えた場合、前記監視センタにトラヒックの最適配分の要求を行い、
前記トラヒック最適配分部は、
前記インタフェース切替処理部に前記電気スイッチと前記光スイッチとの接続を前記第２の伝送速度の光インタフェースから前記第１の伝送速度の光インタフェースに切替える要求に基づいて前記光スイッチの設定を前記第２の伝送速度の光インタフェースから前記第１の伝送速度の光インタフェースに切替えるように前記光スイッチの設定を変更する最適配分結果を通知することを特徴とする請求項９に記載の光ネットワークシステム。
【請求項１１】
前記トラヒック監視部は、
前記ｍ本の第１の伝送速度の光インタフェースごとにトラヒックの下限値が予め設定されており、前記第１の伝送速度の光インタフェースのトラヒックの監視結果と前記トラヒックの下限値とを比較して前記トラヒックの監視結果が前記トラヒックの下限値より低下した場合、前記監視センタにトラヒックの最適配分の要求を行い、
前記トラヒック最適配分部は、
前記インタフェース切替処理部に前記電気スイッチと前記光スイッチとの接続を前記第１の伝送速度の光インタフェースから前記第２の伝送速度の光インタフェースに切替える要求に基づいて前記光スイッチの設定を前記第１の伝送速度の光インタフェースから前記第２の伝送速度の光インタフェースに切替えるように前記光スイッチの設定を変更する最適配分結果を通知することを特徴とする請求項９または１０に記載の光ネットワークシステム。
【請求項１２】
複数の光スイッチ適用ノードが接続された光ネットワークと、前記複数の光スイッチ適用ノードが接続されている光ファイバとは異なる管理用ネットワークで前記複数の光スイッチ適用ノードと管理センタが接続される光ネットワークシステムにおいて、
ｋ（ｋ＞１，ｋは整数）本の同一伝送速度の光インタフェースを有する電気スイッチと、
ｋ×ｋ個のポートを有し、入力ポートからの光信号を出力ポートに出力する光スイッチと、
前記電気スイッチにおける光インタフェースのトラヒックを監視してその結果に基づいて前記管理センタにトラヒックの最適配分の要求するトラヒック監視部と、
前記監視センタからの最適配分結果の通知に基づいて前記電気スイッチと前記光スイッチとの接続を切替えるように前記光スイッチの設定を変更するインタフェース切替処理部と、
を備え、
前記管理センタは、
前記インタフェース切替処理部に前記光スイッチ適用ノードからトラヒックの最適配分の要求を受けた場合、前記光ネットワークに接続されている全ての光スイッチ適用ノードのトラヒックの状態を取得してトラヒックを最適配分した結果、前記光スイッチ適用ノードの接続に変更する場合に前記光スイッチ適用ノードに最適配分結果を通知するトラヒック最適配分部と、
を備えることを特徴とする光ネットワークシステム。
【請求項１３】
前記トラヒック監視部は、
前記ｋ本の光インタフェースごとにトラヒックの上限値が予め設定されており、前記光インタフェースのトラヒックの監視結果と前記トラヒックの上限値とを比較して前記トラヒックの監視結果が前記トラヒックの上限値を超えた場合、前記監視センタにトラヒックの最適配分の要求を行い、
前記トラヒック最適配分部は、
前記電気スイッチと前記光スイッチとの接続を増設する最適配分結果を通知することを特徴とする請求項１２に記載の光ネットワークシステム。
【請求項１４】
前記トラヒック監視部は、
前記ｋ本の光インタフェースごとにトラヒックの下限値が予め設定されており、前記光インタフェースのトラヒックの監視結果と前記トラヒックの下限値とを比較して前記トラヒックの監視結果が前記トラヒックの下限値より低下した場合、かつ、前記光スイッチによりネットワーク上の同一の接続先に２本以上の光インタフェースが接続されている場合、前記監視センタにトラヒックの最適配分の要求を行い、
前記トラヒック最適配分部は、
前記インタフェース切替処理部に前記電気スイッチと前記光スイッチとの接続を削減する最適配分結果を通知することを特徴とする請求項１２または１３に記載の光ネットワークシステム。
【発明の詳細な説明】
【０００１】
【発明の属する技術分野】
本発明は、電気スイッチと光スイッチで構成される光スイッチ適用ノードおよび光ネットワークシステムに関するものである。
【０００２】
【従来の技術】
９０年代に入ってからのインターネットの普及は目覚しいものがある。そのため、過程にも、８ＭｂｐｓのＡＤＳＬやＦＴＴＨなど、６４ＫｂｐｓのＩＳＤＮとは比較にならないほど通信速度が高速化されている。いわゆるブロードバンドのアクセス回線が普及し、都市圏程度のエリアをカバーするメトロネットワークも発達している。
【０００３】
メトロネットワークでは、最近ＩＰ（Ｉｎｔｅｒｎｅｔ　Ｐｒｏｔｏｃｏｌ）通信を用いた通信が急速に普及している。そのため、ネットワークを構築する各ノードを光ファイバで接続して、高速大容量の処理を実現するようになっている。しかし、ＩＰ通信では基本的に帯域の保証を行わないため、ネットワークにおける帯域の変動が大きくなってしまう。
【０００４】
このような問題を改善するため、通信帯域の変動に対応して最大のスループットが達成されるような光パスを動的に設定するネットワークシステムが考えられている。
【０００５】
図１５は、従来の光クロスコネクトによる光ネットワークシステムの構成を示している。従来の光クロスコネクトによる光ネットワークは、４つのノード１００ａ〜１００ｄが光ファイバ２００で接続されている。ノード１００ａ〜１００ｄは、パケット交換機１００のパケットスイッチ１１１と光クロスコネクト１２０のインタフェース１２１が接続され、パケットスイッチ１１１に収容されている端末３００と光ネットワークとの間の入出力は、パケットスイッチ１１１を通じて行う。さらに、ノード１００ａ〜１００ｄの帯域情報を収集してこの光ネットワークを管理する網管理センタ４００が設置されている。この光ネットワークにおいてパケットスイッチ１１１は接続されている端末３００から帯域の申告を必要とせずに通信を行っている。
【０００６】
ここで、隣接ノード間の光パス、たとえば、ノード１００ａとノード１００ｂ間の光パスにおいて帯域が急激に上昇したとする。すなわち、ノード１００ａとノード１００ｂ間の光パスのトラヒックが急激に増加したとする。網管理センタ４００は、ノード１００ａ〜１００ｄのパケットスイッチ１１１に対してポーリングを行い、ノード１００ａとノード１００ｂ間の光パスのトラヒックが急激に増加したことを検出する。そして、ネットワーク上のトラヒックテーブルと光パス配置テーブルを参照しながら、ネットワークのスループットが最大になるようにパス配置アルゴリズムを利用して動的に光パスを設定する。（たとえば、特許文献１参照）。
【０００７】
【特許文献１】
特開２０００−２３２４８３号公報
【０００８】
【発明が解決しようとする課題】
従来の技術では、たとえば、ノード１００ａとノード１００ｂ間のトラヒックが急激に増加した場合、ノード１００ａとノード１００ｃとを接続する光パスをノード１００ａとノード１００ｃとの接続に切替える。これにより、ノード１００ａとノード１００ｂ間には２本の光パスが設定される。しかし、ノード１００ａとノード１００ｃ間の光パスがないため、ノード１００ａとノード１００ｃが通信を行う場合、ノード１００ｂとノード１００ｄを経由しなければならないという問題があった。すなわち、あるノード間のトラヒックが急激に増加した場合、そのトラヒックの増加に対応するために、他のノード間の光パスが削除されてしまい、中継ノード数が多くなってしまうという問題がある。中継ノード数が多くなると、ノードの運用コストが増加するという問題もある。
【０００９】
また、光ネットワークでは、異なる伝送速度を有する複数のインタフェースについて、インタフェースの伝送速度に応じた光パス設定を行い、インタフェースを効率よく使い分けてノード運用コストを低減させることが求められている。
【００１０】
具体的には、トラヒック量が多く行き交うノード間に高速のインタフェース、たとえば、１０Ｇｂｉｔ／ｓ　Ｅｔｈｅｒｎｅｔ（登録商標）を設置すれば、多くのトラヒックを効率よく転送することができ、ノードの運用コストが低減される。しかし、この場合には、高速のインタフェースを接続されているノード数だけ用意しなければならず、コストが高くなってしまうという問題がある。また、トラヒックは、時間的に大きく変動するため、高速のインタフェースで接続しても使用効率が低下してしまうという問題もある。
【００１１】
この発明は上記に鑑みてなされたもので、ノードを接続するインタフェース間に光スイッチを挿入し、インタフェースのトラヒック量に応じてインタフェースの接続の設定を変更して効率よくインタフェースを活用するとともに使用するインタフェースを共用することができる光スイッチ適用ノードおよび光ネットワークシステムを得ることを目的としている。
【００１２】
【課題を解決するための手段】
上記目的を達成するために、この発明にかかる光スイッチ適用ノードは、ｍ（ｍ＞０，ｍは整数）本の第１の伝送速度の光インタフェースと前記第１の伝送速度の光インタフェースよりも低速の伝送速度の光インタフェースであるｎ（ｎ＞１，ｎは整数）の第２の伝送速度の光インタフェースを有する電気スイッチと、（ｍ＋ｎ）×（ｍ＋ｎ）個のポートを有する光スイッチとを光ファイバで接続した光スイッチ適用ノードにおいて、前記電気スイッチにおける前記第１の伝送速度の光インタフェースおよび前記第２の伝送速度の光インタフェースのトラヒックを監視するトラヒック監視部と、前記トラヒックの監視結果に基づいて前記電気スイッチと前記光スイッチとの接続を切替えるように前記光スイッチの設定を変更するインタフェース切替処理部とを備えることを特徴とする。
【００１３】
この発明によれば、トラヒック監視部は、電気スイッチと光スイッチとを接続する光インタフェースのトラヒックを監視し、インタフェース切替処理部は、トラヒックの監視結果、すなわち、光インタフェースのトラヒック量に基づいて光スイッチの設定を変更して電気スイッチと光スイッチとの接続を低速の光インタフェースから高速の光インタフェースに、または、高速の光インタフェースから低速の光インタフェースに切替えるようにしている。
【００１４】
【発明の実施の形態】
以下に添付図面を参照して、この発明にかかる光スイッチ適用ノードおよび光ネットワークシステムの好適な実施の形態を詳細に説明する。
【００１５】
図１は、この発明にかかる光スイッチ適用ノードの基本構成を示すブロック図である。この発明にかかる光スイッチ適用ノード１０は、インタフェース切替処理部１１、トラヒック監視部１２、電気スイッチ１３、光スイッチ１４および光ファイバ回線ＯＦ１〜ＯＦａとを備えている。
【００１６】
光ファイバ回線ＯＦ１〜ＯＦａは、光スイッチ適用ノード１０同士で通信を行うために、送信用と受信用の２本の光ファイバ、たとえば、光ファイバ回線ＯＦ１、ＯＦ２を他の光スイッチ適用ノード１０に接続して光スイッチ適用ノード１０間のインタフェースＩＦ１を形成する。以後、光スイッチ適用ノード１０間の接続については、この２本の光ファイバ回線を対にしたインタフェースを基に説明する。
【００１７】
光スイッチ１４は、たとえば、光クロスコネクトを用いる。光スイッチ１４は、光ファイバＯＦ１〜ＯＦａ×ａのポートを有し、各ポートの設定に基づいて、入力ポートに入力された光信号を電気信号に変換することなく、所定の出力ポートへ信号を出力する。
【００１８】
電気スイッチ１３は、光スイッチ１４から入力された光信号を電気スイッチ１３が扱う電気信号に変換して、その信号を解析し出力先のインタフェースを決定する。そして、決定した出力先のインタフェースへデータを転送し、電気信号から光信号に変換して出力先のインタフェースへ転送する。なお、電気スイッチ１３は、イーサーネットブリッジ、ＩＰスイッチ、ＩＰルータなどの光インタフェースを有するものであればよい。
【００１９】
トラヒック監視部１２は、隣接する光スイッチ適用ノードとの通信中に電気スイッチ１３の各ポートを流れるトラヒックを監視する。
【００２０】
インタフェース切替処理部１１は、トラヒック監視部１２から通知に基づいて電気スイッチ１３と光スイッチ１４との接続のインタフェースを切替える。
【００２１】
光インタフェースとしては、たとえば、ＰＯＳ（ＰＰＰ　Ｏｖｅｒ　ＳＤＨ／ＳＯＮＥＴあるいはＰａｃｋｅｔ　Ｏｖｅｒ　ＳＤＨ／ＳＯＮＥＴ）、ＳＯＮＥＴ（Ｓｙｎｃｈｒｏｎｏｕｓ　Ｏｐｔｉｃａｌ　Ｎｅｔｗｏｒｋ）、Ｇｉｇａｂｉｔ　Ｅｔｈｅｒｎｅｔ（登録商標）などがあるが、本発明の光スイッチ適用ノードは、光スイッチを用いているので、インタフェースの種類は伝送速度に限定されるものではなく、異なる伝送速度のインタフェースを共有することが可能であればよい。
【００２２】
実施の形態１．
図２〜図５を用いて本発明の実施の形態１を説明する。図２は、この実施の形態１の光スイッチ適用ノード１０を用いた光ネットワークを示している。この実施の形態１の光スイッチ適用ノード１０を用いた光ネットワークは、電気スイッチ１３と光スイッチ１４とをｎ本の低速インタフェースＩＦ１１〜ＩＦ１ｎとｍ本の高速インタフェースＩＦ１０１〜ＩＦ１０ｍとで接続可能なｎ個の光スイッチ適用ノード１０ａ〜１０ｎが低速インタフェースＩＦ１１〜ＩＦ１ｎで接続されている。
【００２３】
インタフェース切替処理部１１は、トラヒック監視部１２から通知に基づいて電気スイッチ１３と光スイッチ１４との接続のインタフェースを切替える基本機能に加えて、通信中の隣接する光スイッチ適用ノードとのインタフェースが低速インタフェースであるのか高速インタフェースであるのかの通信状態を記憶するインタフェーステーブルを有する。
【００２４】
トラヒック監視部１２は、隣接する光スイッチ適用ノードとの通信中に電気スイッチ１３の各ポートを流れるトラヒックを監視する基本機能に加えて、電気スイッチ１３と光スイッチ１４のインタフェースを切替える基準値となる低速インタフェースのトラヒックの上限値ｘ１と、高速インタフェースのトラヒック下限値ｘ２とが、ｘ１＞ｘ２の関係が成り立つように設定されている。また、インタフェース切替処理部１１のインタフェーステーブルと同様の各インタフェースの通信状態を記憶するテーブルを有している。このテーブルは、インタフェース切替処理部１１の通知により変更され、インタフェース切替処理部１１のインタフェーステーブルと同じ内容の情報が記憶される。
【００２５】
つぎに、図３のフローチャートと図４のシーケンス図を参照して、光スイッチ適用ノード１０ａと光スイッチ適用ノード１０ｂとのインタフェースの切替動作を光スイッチ適用ノード１０ａに着目して説明する。
【００２６】
光スイッチ適用ノード１０ａと光スイッチ適用ノード１０ｂが、低速インタフェースＩＦ１を用いて通信を開始する。このとき、インタフェース切替処理部１１は、インタフェーステーブルに光スイッチ適用ノード１０ａと光スイッチ適用ノード１０ｂとが低速インタフェースＩＦ１１で通信を行っていることを記憶するとともに、トラヒック監視部１２に光スイッチ適用ノード１０ａと光スイッチ適用ノード１０ｂとが低速インタフェースＩＦ１１で通信を行っていることを通知する。通知を受けると、トラヒック監視部１２は、テーブルに光スイッチ適用ノード１０ａと光スイッチ適用ノード１０ｂとが低速インタフェースＩＦ１１で通信を行っていることを記憶する。
【００２７】
トラヒック監視部１２は、低速インタフェースＩＦ１１〜ＩＦ１ｎ，高速インタフェースＩＦ１０１〜ＩＦ１０ｍのトラヒックを監視する（ステップＳ１００）。具体的には、ポーリングを用いて定期的に電気スイッチ１３における各インタフェースの入力キューと出力キューに存在するパケット数を取得し、そのパケット数からトラヒック量ｘを算出する。
【００２８】
トラヒック量ｘを算出すると、トラヒック監視部１２は、テーブルを参照して現在の通信インタフェースが低速インタフェースであるのか高速インタフェースであるのかを確認する（ステップＳ１１０）。
【００２９】
光スイッチ適用ノード１０ａと光スイッチ適用ノード１０ｂの通信インタフェースが低速インタフェースの場合、トラヒック監視部１２は、算出したトラヒック量ｘと低速インタフェースの上限値ｘ１とを比較する（ステップＳ１２０）。算出したトラヒック量ｘが低速インタフェースの上限値ｘ１以下の場合、トラヒック監視部１２は、インタフェースの監視を継続する。算出したトラヒック量ｘが低速インタフェースの上限値ｘ１を超えていた場合、トラヒック監視部１２は、インタフェース切替処理部１１に、高速インタフェース切替を通知する（ステップＳ１３０）。
【００３０】
高速インタフェース切替の通知を受けると、インタフェース切替処理部１１は、インタフェース切替処理を行う（ステップＳ１４０）。
【００３１】
図４のシーケンス図を参照して、インタフェース切替処理を説明する。まず、切替起動ノード（この場合、光スイッチ適用ノード１０ａ）は、切替受動ノード（この場合、光スイッチ適用ノード１０ｂ）に高速インタフェースへの切替が可能であるか否かを確認する切替確認メッセージ２１を送信する。
【００３２】
切替確認メッセージ２１を受信すると、切替受動ノードは、高速インタフェースへの切替が可能であるか否かを確認する。具体的には、インタフェーステーブルを読み出し、高速インタフェースＩＦ１０１〜ＩＦ１０ｍが１本以上未接続であるか否かを確認する。高速インタフェースに切替が可能であることを確認すると、切替受動ノードは、切替起動ノードに切替受理メッセージ２２を送信する。
【００３３】
切替受理メッセージ２２を受信すると、切替起動ノードは、切替受動ノードに高速インタフェースへの切替開始を通知する切替開始メッセージ２３を送信する。そして、低速インタフェース（この場合、低速インタフェースＩＦ１１）に流れていた信号が高速インタフェース（この場合、高速インタフェースＩＦ１０１）に流れるように電気スイッチ１３と光スイッチ１４の設定を変更し、インタフェーステーブルに高速インタフェースで通信を行うことを記憶する。インタフェース切替処理部１１は、トラヒック監視部１２にインタフェーステーブルの通信状態を変更したことを通知する。トラヒック監視部１２は、通知された変更内容にしたがってテーブルを変更する。切替起動ノードは、切替受理メッセージ２５を受信するまで、切替受信ノードにインタフェース切替の設定が終了したか否かを確認する導通確認メッセージ２４を送信する。
【００３４】
切替開始メッセージ２３を受信すると、切替受動ノードは、低速インタフェースに流れていた信号が高速インタフェースに流れるように電気スイッチ１３と光スイッチ１４の設定を変更する。そして、切替起動ノードとの通信が高速インタフェースで導通したことを確認して切替受理メッセージ２５を送信する。
【００３５】
このようにして、光スイッチ適用ノード１０ａと光スイッチ適用ノード１０ｂは、図５に示すように、インタフェースを低速インタフェースＩＦ１１から高速インタフェースＩＦ１０１に切替えて通信を継続する。
【００３６】
通信が継続されているため、トラヒック監視部１２は、各インタフェースのトラヒックの監視を継続する。高速インタフェースで通信を行っていることを記憶しているので、トラヒック監視部１２は、トラヒックを監視して算出したトラヒック量ｘと高速インタフェースの下限値ｘ２とを比較する（ステップＳ１５０）。算出したトラヒック量ｘが高速インタフェースの下限値ｘ２以上の場合、トラヒック監視部１２は、インタフェースの監視を継続する。算出したトラヒック量ｘが高速インタフェースの下限値ｘ２より小さい場合、トラヒック監視部１２は、インタフェース切替処理部１１に、インタフェース切替を通知する（ステップＳ１６０）。
【００３７】
低速インタフェース切替の通知を受けると、インタフェース切替処理部１１は、インタフェース切替処理を行う（ステップＳ１４０）。具体的には、図４のシーケンス図のインタフェース切替処理にしたがって切替受動ノードに低速インタフェースに切替えるための切替メッセージ２１を送信して、光スイッチ適用ノード１０ａと光スイッチ適用ノード１０ｂのインタフェースを高速インタフェースから低速インタフェースに切替える。
【００３８】
このようにこの実施の形態１では、トラヒック監視部１２が、各インタフェースのトラヒックを監視し、低速インタフェースＩＦ１１〜ＩＦ１ｎのトラヒック量が低速インタフェースの上限値ｘ１を超えた場合、または、高速インタフェースＩＦ１０１〜ＩＦ１０ｍのトラヒック量が高速インタフェースの下限値ｘ２以下になった場合には、インタフェース切替処理部１１にインタフェースの切替え要求を通知し、インタフェース切替処理部１１は、切替え通知にしたがって電気スイッチ１３と光スイッチ１４の接続を切替える。すなわち、トラヒック量に応じて電気スイッチ１３と光スイッチ１４を接続するインタフェースを低速または高速のインタフェースに切替えるようにしている。これにより、インタフェースを効率よく使用することができ、光スイッチ適用ノードのコストの低減が可能となる。
【００３９】
実施の形態２．
図６〜図８を用いて本発明の実施の形態２を説明する。図６は、この実施の形態２の光スイッチ適用ノード１０を用いた光ネットワークを示している。この実施の形態２の光スイッチ適用ノード１０を用いた光ネットワークは、電気スイッチ１３と光スイッチ１４とをｋ（ｋ＞１、ｋは整数）本のインタフェースＩＦ１１〜ＩＦ１ｋで接続可能なｎ個の光スイッチ適用ノード１０ａ〜１０ｎが接続されている。インタフェースＩＦ１１〜インタフェースＩＦ１ｋには、トラヒックが変動した際に増設することができるように、未使用のインタフェース（この場合は、インタフェースＩＦ１１，ＩＦｋ−１）がある。すなわち、インタフェースの本数ｋは、隣接する光スイッチ適用ノードの台数ｎよりも多く準備する。また、インタフェースＩＦ１１〜ＩＦ１ｋは、たとえば、インタフェースＩＦ１２は光スイッチ適用ノード１０ｂに固定で接続するものではなく、光スイッチ１４の設定により、他の光スイッチ適用ノード１０ｂ〜１０ｎに接続することが可能である。
【００４０】
インタフェース切替処理部１１は、トラヒック監視部１２から通知に基づいて電気スイッチ１３と光スイッチ１４との接続のインタフェースを切替える基本機能に加えて、通信中の隣接する光スイッチ適用ノードとのインタフェースが低速インタフェースであるのか高速インタフェースであるのかの通信状態を記憶するインタフェーステーブルを有する。
【００４１】
トラヒック監視部１２は、隣接する光スイッチ適用ノードとの通信中に電気スイッチ１３の各ポートを流れるトラヒックを監視する基本機能に加えて、インタフェースを増設するための上限値ｙ１とインタフェースを削減するための下限値ｙ２とが、ｙ１＞ｙ２の関係が成り立つように設定されている。
【００４２】
つぎに、図７のフローチャートを参照して、光スイッチ適用ノード１０ａと光スイッチ適用ノード１０ｂとのインタフェースの切替動作を光スイッチ適用ノード１０ａに着目して説明する。
【００４３】
光スイッチ適用ノード１０ａと光スイッチ適用ノード１０ｂが、インタフェースＩＦ１２を用いて通信を開始する。
【００４４】
トラヒック監視部１２は、インタフェースＩＦ１１〜ＩＦ１ｋのトラヒックの監視する（ステップＳ１００）。具体的には、ポーリングを用いて定期的に電気スイッチ１３における各インタフェースの入力キューと出力キューに存在するパケット数を取得し、そのパケット数からトラヒック量ｘを算出する。
【００４５】
トラヒック量ｘを算出すると、トラヒック監視部１２は、算出したトラヒック量ｘとインタフェースを増設するための上限値ｙ１とを比較する（ステップＳ２１０）。算出したトラヒック量ｘがインタフェースを増設するための上限値ｙ１以下の場合、トラヒック監視部１２は、インタフェースの監視を継続する。算出したトラヒック量ｘがインタフェースを増設するための上限値ｙ１を超えていた場合、トラヒック監視部１２は、インタフェース切替処理部１１に、インタフェース増設を通知する（ステップＳ２２０）。
【００４６】
インタフェース増設の通知を受けると、インタフェース切替処理部１１は、インタフェース切替処理を行う（ステップＳ２３０）。
【００４７】
図４のシーケンス図を参照して、インタフェース切替処理を説明する。まず、切替起動ノード（この場合、光スイッチ適用ノード１０ａ）は、切替受動ノード（この場合、光スイッチ適用ノード１０ｂ）にインタフェースの増設が可能であるか否かを確認する切替確認メッセージ２１を送信する。
【００４８】
切替確認メッセージ２１を受信すると、切替受動ノードは、インタフェースの増設が可能であるか否かを確認する。具体的には、インタフェーステーブルを読み出し、インタフェースＩＦ１〜ＩＦ１ｋが１本以上未接続であるか否かを確認する。インタフェースの増設が可能であることを確認すると、切替受動ノードは、切替起動ノードに切替受理メッセージ２２を送信する。
【００４９】
切替受理メッセージ２２を受信すると、切替起動ノードは、切替受動ノードにインタフェースの増設開始を通知する切替開始メッセージ２３を送信する。そして、未使用のインタフェースＩＦ１１に信号が流れるように電気スイッチ１３と光スイッチ１４の設定を変更し、インタフェーステーブルにインタフェースＩＦ１１が使用されていることを記憶する。切替起動ノードは、切替受理メッセージ２５を受信するまで、切替受信ノードにインタフェース増設の設定が終了したか否かを確認する導通確認メッセージ２４を送信する。
【００５０】
切替開始メッセージ２３を受信すると、切替受動ノードは、未使用のインタフェースＩＦ１１に信号が流れるように電気スイッチ１３と光スイッチ１４の設定を変更する。そして、切替起動ノードとの通信が増設したインタフェースＩＦ１１で導通したことを確認して切替受理メッセージ２５を送信する。
【００５１】
このようにして、光スイッチ適用ノード１０ａと光スイッチ適用ノード１０ｂは、図８に示すように、未使用であったインタフェースＩＦを使用して通信を継続する。
【００５２】
通信が継続されているため、トラヒック監視部１２は、各インタフェースのトラヒックの監視を継続する。トラヒック監視部１２は、トラヒックを監視して算出したトラヒック量ｘとインタフェースを削減するための下限値ｙ２とを比較する（ステップＳ２４０）。算出したトラヒック量ｘがインタフェースを削減するための下限値ｙ２以上の場合、トラヒック監視部１２は、インタフェースの監視を継続する。算出したトラヒック量ｘがインタフェース削減のための下限値ｙ２より小さい場合、トラヒック監視部１２は、インタフェース切替処理部１１に、インタフェース削減を通知する（ステップＳ２５０）。ただし、同一光スイッチ適用ノードに接続しているインタフェースが１本の場合は、インタフェース削減の通知は行わない。
【００５３】
インタフェース削減の通知を受けると、インタフェース切替処理部１１は、インタフェース切替処理を行う（ステップＳ２３０）。
【００５４】
図４のシーケンス図を参照して、インタフェース切替処理を説明する。まず、切替起動ノード（この場合、光スイッチ適用ノード１０ａ）は、切替受動ノード（この場合、光スイッチ適用ノード１０ｂ）にインタフェースの切断を通知する切替確認メッセージ２１を送信する。
【００５５】
切替確認メッセージ２１を受信すると、切替受動ノードは、切替起動ノードに切替受理メッセージ２２を送信する。
【００５６】
切替受理メッセージ２２を受信すると、切替起動ノードは、切替受動ノードにインタフェースの削減開始を通知する切替開始メッセージ２３を送信する。そして、電気スイッチ１３と光スイッチ１４の設定を変更してインタフェースＩＦ１１を切断し、インタフェーステーブルにインタフェースＩＦ１１が未使用であることを記憶する。切替起動ノードは、切替受理メッセージ２５を受信するまで、切替受信ノードにインタフェース増設の設定が終了したか否かを確認する導通確認メッセージ２４を送信する。
【００５７】
切替開始メッセージ２３を受信すると、切替受動ノードは、電気スイッチ１３と光スイッチ１４の設定を変更してインタフェースＩＦ１１を切断する。そして、切断したことを確認して切替受理メッセージ２５を送信する。
【００５８】
このようにして光スイッチ適用ノード１０ａと光スイッチ適用ノード１０ｂは、使用していたインタフェースＩＦ１１を切断する。
【００５９】
以上説明したようにこの実施の形態２では、トラヒック監視部１２にｙ１＞ｙ２の関係が成り立つように、インタフェースを増設するための上限値ｙ１およびインタフェースを削減するための下限値ｙ２を設定しておく。トラヒック監視部１２は、定期的に各インタフェースのトラヒックを監視してトラヒック量が上限値ｙ１を超えた場合にはインタフェース切替処理部１１にインタフェース増設を、トラヒック量が下限値ｙ２以下の場合にはインタフェース切替処理部１１にインタフェース削減をインタフェース切替処理部１１に通知する。インタフェース切替処理部１１は、トラヒック監視部１２の通知に基づいてインタフェースの増設または削減の切替処理を行う。すなわち、トラヒック量に応じて隣接した光スイッチ適用ノードを接続しているインタフェースの本数を増減させるようにしている。これにより、光スイッチ適用ノードのインタフェースを効率よく使用し、コストを削減することができる。
【００６０】
実施の形態３．
図９〜図１１を用いて本発明の実施の形態３を説明する。実施の形態２では、トラヒック量がインタフェースを増設するための上限値ｙ１を超えた場合、インタフェースを増設するようにした。この実施の形態３では、インタフェースを増設する際に、使用中のインタフェースの中から削減可能なインタフェースを検索して１本のインタフェースを各光スイッチ適用ノードで共有するものである。
【００６１】
この実施の形態３の光スイッチ適用ノード１０を用いた光ネットワークは、図６に示すものと同様となるので、ここではその説明を省略する。
【００６２】
トラヒック監視部１２は、隣接する光スイッチ適用ノードとの通信中に電気スイッチ１３の各ポートを流れるトラヒックを監視する機能に加えて、インタフェースを増設するための上限値ｙ１とインタフェースを削減するための下限値ｙ２とが、ｙ１＞ｙ２の関係が成り立つように設定されている。
【００６３】
つぎに、図９のフローチャートと図１０のシーケンス図を参照して、各インタフェースのトラヒックを監視し、トラヒック量が下限値ｙ２以下の場合にインタフェースを削減するステップＳ２００〜Ｓ２５０，Ｓ２３０と、トラヒック量が上限値ｙ１を超えて他に共有するインタフェースが存在しない場合にインタフェースを増設するＳ２００、Ｓ２２０，Ｓ２３０については、実施の形態２の動作と同様となるのでここではその動作の説明を省略する。
【００６４】
図８に示すように、光スイッチ適用ノード１０ａと光スイッチ適用ノード１０ｂはインタフェースＩＦ１１，ＩＦ１２を用いて通信を行い、光スイッチ適用ノード１０ａと光スイッチ適用ノード１０ｂはインタフェースＩＦ１３，ＩＦ１４を用いて通信を行い、光スイッチ適用ノード１０ａと光スイッチ適用ノード１０ｎはインタフェースＩＦ１ｋを用いて通信を行っている。光スイッチ適用ノード１０ａと光スイッチ適用ノード１０ｎには、トラヒックが増加した時に備えて予備のインタフェースＩＦ１ｋ−１が接続されている。
【００６５】
このようなネットワークの状態でトラヒック監視部１２は、インタフェースＩＦ１１〜ＩＦ１ｋのトラヒックを監視してトラヒック量ｘを算出する（ステップＳ２００）。トラヒック監視部１２は、算出したインタフェースＩＦ１ｋのトラヒック量とインタフェースを増設するための上限値ｙ１とを比較する（ステップＳ２１０）。インタフェースＩＦ１ｋのトラヒック量がインタフェースを増設するための上限値ｙ１を超えていた場合、トラヒック監視部１２は、他のインタフェースＩＦ１１〜ＩＦ１ｋ−１のトラヒック量をそれぞれインタフェースを削減するための下限値ｙ２と比較する（ステップＳ３００）。インタフェースを削減するための下限値ｙ２以下のインタフェースが存在した場合（ここでは、通信中の光スイッチ適用ノード１０ｂと接続しているインタフェースＩＦ１１がインタフェースを削減するための下限値ｙ２以下であったとする）、トラヒック監視部１２は、インタフェース切替処理部１１に、インタフェース増設および削減を通知する（ステップＳ３１０）。インタフェース増設の通知を受けると、インタフェース切替処理部１１は、インタフェース切替処理を行う（ステップＳ２３０）。
【００６６】
図１０のシーケンス図を参照して、インタフェース切替処理を説明する。まず、切替起動ノード（この場合、光スイッチ適用ノード１０ａ）は、インタフェースを削減する切替受動ノード１（この場合、光スイッチ適用ノード１０ａ）にインタフェースの切断を確認する切替確認メッセージ２１ａを送信するとともに、インタフェースを増設する切替受動ノード２（この場合、光スイッチ適用ノード１０ｎ）にインタフェースの増設が可能であるか否かを確認する切替確認メッセージ２１ｂを送信する。
【００６７】
切替確認メッセージ２１ａを受信すると、切替受動ノード１は、インタフェースの増設が可能であるか否かを確認して切替起動ノードに切替受理メッセージ２２ａを送信する。また、切替確認メッセージ２１ｂを受信した切替受動ノード２は、切替起動ノードに切替受理メッセージ２２ｂを送信する。
【００６８】
切替受理メッセージ２２ａ，２２ｂを受信すると、切替起動ノードは、切替受動ノード１にインタフェースの切断開始を通知する切替開始メッセージ２３ａを、切替受動ノード２にインタフェースの増設開始を通知する切替開始メッセージ２３ｂを送信する。そして、インタフェースＩＦ１１が光スイッチ適用ノード１０ａから光スイッチ適用ノード１０ｎに切り替るように電気スイッチ１３と光スイッチ１４の設定を変更する。切替起動ノードは、切替受信ノード１にインタフェースの切断が終了したか否かを確認する導通確認メッセージ２４ａを、切替受信ノード２にインタフェース増加の設定が終了したか否かを確認する導通確認メッセージ２４ｂを送信する。
【００６９】
切替開始メッセージ２３ａを受信すると、切替受動ノード１は、電気スイッチ１３と光スイッチ１４の設定を変更してインタフェースＩＦ１１を切断する。そして、切断したことを確認して切替受理メッセージ２５を送信する。
【００７０】
切替開始メッセージ２３ｂを受信すると、切替受動ノード２は、未使用のインタフェースＩＦ１１に信号が流れるように電気スイッチ１３と光スイッチ１４の設定を変更する。そして、切替起動ノードとの通信が増設したインタフェースＩＦ１１で導通したことを確認して切替受理メッセージ２５ｂを送信する。
【００７１】
このようにして、図１１に示すように、光スイッチ適用ノード１０ａと光スイッチ適用ノード１０ｂとを接続していたインタフェースＩＦ１１が、光スイッチ適用ノード１０ａと光スイッチ適用ノード１０ｎを接続するようにつなぎかえる。
【００７２】
以上説明したように、この実施の形態３では、トラヒックの増加によりインタフェースを増加する際に、通信中の他のインタフェースの中から切断可能なインタフェースを検出し、切断可能なインタフェースが検出された場合には、そのインタフェースを切断して、その切断したインタフェースを増加するインタフェースに用いるようにしている。これにより、１本のインタフェースを各光スイッチ適用ノードで共有することが可能となり、光スイッチ適用ノードのコストを削減することができる。
【００７３】
なお、切替対象のインタフェースは、異なる伝送速度のインタフェースであってもよい。この場合には、トラヒックの効率的な伝送も合わせて実現することができる。
【００７４】
実施の形態４．
図１２〜図１４を用いて本発明の実施の形態４を説明する。実施の形態１〜３では、各光スイッチ適用ノードがインタフェースの切替処理を自立分散的に行っている。この実施の形態４は、光ネットワーク上に接続されている光スイッチ適用ノードを管理する管理センタを設け、管理センタが各光スイッチ適用ノードに対してインタフェースの切替処理を支持してインタフェースを切替えるものである。
【００７５】
図１２は、この実施の形態４の光スイッチ適用ノード１０を用いた光ネットワークを示している。この実施の形態４の光スイッチ適用ノード１０を用いた光ネットワークは図２に示した接続に加え、光スイッチ適用ノード１０ａ〜１０ｎが接続された光ネットワークとは別の管理用ネットワーク３０を介して、管理センタ４０と光スイッチ適用ノード１０ａ〜１０ｎとが接続されている。
【００７６】
光スイッチ適用ノード１０ａ〜１０ｎには、図１に示した光スイッチ適用ノード１０に管理センタ４０と通信する機能を有する情報通信部１５が追加されている。光スイッチ適用ノード１０の基本構成と同じ機能を持つ構成部分には同一符号を付し、重複する説明は省略する。
【００７７】
インタフェース切替処理部１１は、管理センタ４０からの光スイッチの設定情報に基づいて電気スイッチ１３と光スイッチ１４との接続のインタフェースを切替えるとともに、通信中の隣接する光スイッチ適用ノードとのインタフェースが低速インタフェースであるのか高速インタフェースであるのかの通信状態を記憶するインタフェーステーブルを有する。
【００７８】
トラヒック監視部１２は、隣接する光スイッチ適用ノードとの通信中に電気スイッチ１３の各ポートを流れるトラヒックを監視する基本機能に加えて、管理センタ４０に対してインタフェースの再配置を要求するためのトラヒックの上限値ｚ１とトラヒックの下限値ｚ２とが、ｚ１＞ｚ２の関係が成り立つように設定されている。
【００７９】
管理センタ４０は、情報通信部４１、トラヒック最適配分部４２、インタフェーステーブル４３、トラヒック情報テーブル４４を備えている。
【００８０】
情報通信部４１は、管理用ネットワーク３０を介して、光スイッチ適用ノード１０ａ〜１０ｎと通信を行う。
【００８１】
インタフェーステーブル４３は、光スイッチ適用ノード１０ａ〜１０ｎの光スイッチ１４の設定、すなわち、電気スイッチ１３と光スイッチ１４との接続と、その接続インタフェースが低速インタフェースであるのか高速インタフェースであるのかを記憶する。
【００８２】
トラヒック情報テーブル４４は、光スイッチ適用ノード１０ａ〜１０ｎのトラヒック情報を記憶する。
【００８３】
トラヒック最適配分部４２は、インタフェーステーブル４３とトラヒック情報テーブル４４に基づいて光スイッチ適用ノード１０ａ〜１０ｎのトラヒックを最適に配分する。
【００８４】
図１３のフローチャートを参照して、光スイッチ適用ノード１０ａと光スイッチ適用ノード１０ｂの低速インタフェースＩＦ１１のトラヒックが予め設定されたインタフェースの再配置を要求するためのトラヒックの上限値ｚ１を超えた場合を例にあげて、この実施の形態４の動作を説明する。
【００８５】
光スイッチ適用ノード１０ａ〜１０ｎのトラヒック監視部１２は、通信中の低速インタフェースＩＦ１１〜ＩＦ１ｎおよび通信中の高速インタフェースＩＦ１０１〜ＩＦ１０ｍのトラヒックを監視してそれぞれのトラヒック量を算出する。そして、低速インタフェースＩＦ１１〜ＩＦ１ｎのトラヒック量をインタフェースの再配置を要求するためのトラヒックの上限値ｚ１と、高速インタフェースＩＦ１０１〜ＩＦ１０ｍのトラヒック量をインタフェースの再配置を要求するためのトラヒックの下限値ｚ２と比較する。ここで、光スイッチ適用ノード１０ａと光スイッチ適用ノード１０ｂのトラヒック監視部１２は、低速インタフェースＩＦ１１のトラヒック量が上限値ｚ１を超えたことを検出すると、情報通信部４１を介して管理センタ４０に低速インタフェースＩＦ１１のトラヒック量が上限値ｚ１を超えたことを通知するインタフェースの再配置要求を送信する。
【００８６】
情報通信部４１は、光スイッチ適用ノード１０ａ，１０ｂからインタフェースの再配置要求を受信すると、インタフェースの再配置要求をトラヒック最適配分部４２に送信する。
【００８７】
トラヒック最適配分部４２は、ネットワークを構成する光スイッチ適用ノード１０ａ〜１０ｎに対してトラヒック情報（低速インタフェースＩＦ１１〜ＩＦ１ｎおよび高速インタフェースＩＦ１０１〜ＩＦ１０ｍのそれぞれのトラヒック量）を要求し、光スイッチ適用ノード１０ａ〜１０ｎのトラヒック監視部１２からトラヒック情報を取得する（ステップＳ４１０）。
【００８８】
光スイッチ適用ノード１０ａ〜１０ｎのトラヒック情報を取得すると、トラヒック最適配分部４２は、取得したトラヒック情報をトラヒック情報テーブル４４に記憶させる。そして、トラヒック最適配分処理を行う（ステップＳ４２０）。具体的には、インタフェーステーブル４３とトラヒック情報テーブル４４に基づいてトラヒックを最適に配分するような計算処理を行い、計算結果とインタフェーステーブル３３とを照らし合わせながら、最適なインタフェース配置を決定する。
【００８９】
決定した配置の結果、光スイッチ適用ノード１０ａと光スイッチ適用ノード１０ｂとの低速インタフェースＩＦ１１を切替える場合（ステップＳ４３０）、トラヒック最適配分部４２は、情報通信部４１を介して光スイッチ適用ノード１０ａ，１０ｂに光スイッチ１４の設定を変更するための設定情報とインタフェースの配置情報を送信する（ステップＳ４４０）。
【００９０】
光スイッチ適用ノード１０ａ，１０ｂのインタフェース切替処理部１１は、管理センタ４０から光スイッチ１４の設定を変更するための設定情報を受信すると、図４のシーケンスのインタフェース切替処理にしたがって電気スイッチ１３と光スイッチ１４の設定を更新する。このとき、管理センタ４０からインタフェースの配置情報が通知されているため、切替開始メッセージ２３の送信から開始すればよい。
【００９１】
このようにして、図１４に示すように、光スイッチ適用ノード１０ａと光スイッチ適用ノード１０ｂとの接続を低速インタフェースＩＦ１１から高速インタフェースＩＦ１０１に切替える。
【００９２】
高速インタフェースＩＦ１０１〜ＩＦ１０ｍのいずれかで接続されている場合に、そのトラヒック量がインタフェースの再配置を要求するためのトラヒックの下限値ｚ２以下になった場合も、管理センタ４０および光スイッチ適用ノード１０ａ〜１０ｎの動作は同様のものとなるのでここではその説明を省略する。
【００９３】
このようにこの実施の形態４では、光スイッチ適用ノード１０ａ〜１０ｎのトラヒック監視部１２がトラヒックを監視し、インタフェースの再配置を要求するためのトラヒックの上限値ｚ１または下限値ｚ２と比較を行い、インタフェースを切替える必要があると判断した場合には、管理センタ４０にインタフェースの再配置要求を送信する。インタフェースの再配置要求を受信すると、管理センタ４０のトラヒック最適配分部４２は、光スイッチ適用ノード１０ａ〜１０ｎからトラヒック情報を取得してそのトラヒック情報と光スイッチ適用ノード１０ａ〜１０ｎの通信状態に基づいてトラヒックを最適にするように配分してインタフェースの切替対象となる光スイッチ適用ノードに光スイッチ１４の設定を変更するための設定情報を送信する。設定情報を受信した光スイッチ適用ノードのインタフェース切替処理部１１は、その設定情報に基づいてインタフェースを切替える。すなわち、ネットワーク全体のインタフェースを管理センタ４０が管理し、トラヒックと連動した光スイッチ適用ノード間のインタフェースの切替を行うようにしている。これにより、ネットワークを効率的に使用してインタフェースを削減することができ、光スイッチ適用ノードのコストの低減が可能となる。
【００９４】
なお、この実施の形態４では、トラヒック量に応じて電気スイッチ１３と光スイッチ１４を接続するインタフェースを低速または高速のインタフェースに切替える場合について説明したが、トラヒック量に応じて隣接した光スイッチ適用ノードを接続しているインタフェースの本数を増減させる場合、１本のインタフェースを各光スイッチ適用ノードで共有する場合でも、管理センタ４０がネットワーク全体のインタフェースを管理し、トラヒックと連動した光スイッチ適用ノード間のインタフェースの切替を行うことができる。
【００９５】
【発明の効果】
以上説明したように、この発明にかかる光スイッチ適用ノードによれば、トラヒック監視部は、電気スイッチと光スイッチとを接続する光インタフェースのトラヒックを監視し、インタフェース切替処理部は、トラヒックの監視結果、すなわち、光インタフェースのトラヒック量に基づいて光スイッチの設定を変更して電気スイッチと光スイッチとの接続を低速の光インタフェースから高速の光インタフェースに、または、高速の光インタフェースから低速の光インタフェースに切替えるようにしているため、インタフェースを効率よく使用することができ、光スイッチ適用ノードのコストの低減が可能となる。
【図面の簡単な説明】
【図１】この発明にかかる光スイッチ適用ノードの基本構成を示す図である。
【図２】実施の形態１の光スイッチ適用ノードを用いた光ネットワークの構成を示す図である。
【図３】実施の形態１の光スイッチ適用ノードの動作を説明するためのフローチャートである。
【図４】インタフェース切替処理を説明するためのシーケンス図である。
【図５】実施の形態１のインタフェース切替処理後の光ネットワークの構成を示す図である。
【図６】実施の形態２の光スイッチ適用ノードを用いた光ネットワークの構成を示す図である。
【図７】実施の形態２の光スイッチ適用ノードの動作を説明するためのフローチャートである。
【図８】実施の形態２のインタフェース切替処理後の光ネットワークの構成を示す図である。
【図９】実施の形態３の光スイッチ適用ノードの動作を説明するためのフローチャートである。
【図１０】実施の形態３のインタフェース切替処理を説明するためのシーケンス図である。
【図１１】実施の形態３のインタフェース切替処理後の光ネットワークの構成を示す図である。
【図１２】実施の形態４の光ネットワークの構成を示す図である。
【図１３】実施の形態４の光スイッチ適用ノードの動作を説明するためのフローチャートである。
【図１４】実施の形態４のインタフェース切替処理後の光ネットワークの構成を示す図である。
【図１５】従来の光クロスコネクトによる光ネットワークシステムの構成を示す図である。
【符号の説明】
１０，１０ａ，１０ｂ，１０ｃ，１０ｄ　光スイッチ適用ノード、１１　インタフェース切替処理部、１２　トラヒック監視部、１３　電気スイッチ、１４　光スイッチ、２１，２１ａ、２１ｂ　切替確認メッセージ、２２，２５，２５ａ、２５ｂ　切替受理メッセージ、２３，２３ａ，２３ｂ　切替開始メッセージ、２４，２４ａ，２５ｂ　導通確認メッセージ、３０　管理用ネットワーク、４０管理センタ、４１　情報通信部、４２　トラヒック最適配分部、４３　インタフェーステーブル、４４　トラヒック情報テーブル、１００ａ，１００ｂ，１００ｃ，１００ｄ　ノード、１１１　パケットスイッチ、１１２　スイッチ制御部、１２０　光クロスコネクト、１２１　インタフェース、３００　端末、２００光ファイバ、４００　網管理センタ。
【図１】
2004140451.tif 000003
【図２】
2004140451.tif 000004
【図３】
2004140451.tif 000005
【図４】
2004140451.tif 000006
【図５】
2004140451.tif 000007
【図６】
2004140451.tif 000008
【図７】
2004140451.tif 000009
【図８】
2004140451.tif 000010
【図９】
2004140451.tif 000011
【図１０】
2004140451.tif 000012
【図１１】
2004140451.tif 000013
【図１２】
2004140451.tif 000014
【図１３】
2004140451.tif 000015
【図１４】
2004140451.tif 000016
【図１５】
2004140451.tif 000017